(57)【要約】ボウル本体と、ボウル本体に垂直に設けられるとともに排泄口に一体に接続されるあて板と、ボウル本体の後側に設けられ、吹き出し口があて板の下のボウル本体の後側壁に設けられる乾燥装置とを備える介護機器の動作ヘッドにおけるインナーボウルであって、ボウル本体は、前部に楔状のボウル開口部が設けられ、ボウル開口部の頂面が水平に設置された排泄口となり、ボウル開口部の底面が傾斜して設置されたＵ字の円弧状底面であり、ボウル開口部のＵ字の円弧状底面の両側に、それぞれ反射型赤外線式の大便センサが設けられ、ボウル本体の底面外側に小便センサが設けられる。該インナーボウルを用いた介護機器は、部材の接続に迅速接続構造と、迅速組立・外れ防止機構と、静音構造と、防水溢れ防止装置とを使用し、繰り返し加熱が可能、出水温度が一定、速度が速い、殺菌消毒機能を有し、衛生的な洗浄水を供給でき、より安全で信頼でき、省エネで環境にやさしい。
2017509445.tif 000002
【特許請求の範囲】
【請求項１】
ボウル本体（１０）、あて板（１４）及び乾燥装置を備える介護機器の動作ヘッドにおけるインナーボウルであって、前記ボウル本体（１０）は、前部に楔状のボウル開口部（２０）が設けられ、ボウル開口部（２０）の頂面が水平に設置された排泄口（２１）となり、ボウル開口部（２０）の底面が傾斜して設置されたＵ字の円弧状底面であり、ボウル開口部（２０）のＵ字の円弧状底面の両側に、それぞれ反射型赤外線式の大便センサ（２２）が設けられ、ボウル本体（１０）の底面外側に小便センサ（１１）が設けられ、前記あて板（１４）がボウル本体（１０）に垂直に設けられるとともに排泄口（２１）に一体に接続され、乾燥装置がボウル本体（１０）の後側に設けられ、乾燥装置の吹き出し口（３３）があて板（１４）の下のボウル本体（１０）の後側壁に設けられることを特徴する介護機器の動作ヘッドにおけるインナーボウル。
【請求項２】
前記大便センサ（２２）に複数の感知用の検出ヘッド（２３）が設けられ、複数の感知用の検出ヘッド（２３）は、ボウル開口部（２０）の側縁に沿って前後に設置されるとともに、それぞれボウル開口部（２０）の異なる底面領域に対応することを特徴する請求項１に記載の介護機器の動作ヘッドにおけるインナーボウル。
【請求項３】
前記小便センサ（１１）に２つの金属製の検出ヘッド（１２）が設けられ、且つ２つの金属製の検出ヘッド（１２）がボウル本体（１０）の底面を貫通して露出し、２つの金属製の検出ヘッド（１２）の間のボウル本体（１０）の底面にボス（１３）が設けられることを特徴する請求項１に記載の介護機器の動作ヘッドにおけるインナーボウル。
【請求項４】
前記ボウル開口部（２０）の両側に左右のノズル（２４）が設けられ、ノズル（２４）が排泄口（２１）の下に水平に設置されることを特徴する請求項１に記載の介護機器の動作ヘッドにおけるインナーボウル。
【請求項５】
前記乾燥装置は、乾燥装置ハウジング（３０）、ファン（３２）及びＰＴＣヒータ（３１）を備え、乾燥装置ハウジング（３０）における前端吹き出し口（３３）がボウル本体（１０）の後側壁に接続され、ＰＴＣヒータ（３１）が乾燥装置ハウジング（３０）の前部内に設けられ、ファン（３２）が乾燥装置ハウジング（３０）の末端内に設けられることを特徴する請求項１に記載の介護機器の動作ヘッドにおけるインナーボウル。
【請求項６】
本体（１）及び動作ヘッドを備える介護機器であって、前記動作ヘッドには請求項１〜６のいずれかに記載のインナーボウルが用いられることを特徴する介護機器。
【請求項７】
前記動作ヘッドは、動作ヘッドハウジング（１２０）を備え、動作ヘッドハウジング（１２０）内にラッパ状のインナーボウル（１３０）が設けられ、動作ヘッドハウジング（１２０）の上端に、インナーボウル（１３０）の大径端と接続されるジャケット（１２１）が設けられ、前記動作ヘッドハウジング（１２０）内に乾燥装置が設けられ、乾燥装置吹き出し口（１３１）がインナーボウル（１３０）に接続され、本体（１）に制御システムが設けられ、前記乾燥装置が制御システムに電気接続されることを特徴する請求項６に記載の介護機器。
【請求項８】
前記乾燥装置ハウジング（３０）の前端が吹き出し口（１３１）に接続され、ＰＴＣヒータ（３１）とファン（３２）とはそれぞれ制御システムに電気接続されることを特徴する請求項７に記載の介護機器。
【請求項９】
前記動作ヘッドハウジング（１２０）と本体（１）との間にホース（１４０）が設けられ、ホース（１４０）内に制御システムと接続される制御回路（１４１）が設けられ、制御回路（１４１）がＰＴＣヒータ（３１）とファン（３２）にそれぞれ接続されることを特徴する請求項８に記載の介護機器。
【請求項１０】
前記本体（１）に交流変換器（１５３）が設けられ、交流変換器（１５３）が制御システムとＰＴＣヒータ（３１）との間に設けられる制御回路（１４１）に接続されることを特徴する請求項９に記載の介護機器。
【請求項１１】
前記本体（１）に汚物吸引装置（１５１）とクリーニング機構（１５２）が設けられ、汚物吸引装置（１５１）が配管によってインナーボウル（１３０）に接続され、インナーボウル（１３０）にノズル（２４）が設けられ、クリーニング機構（１５２）が配管によってノズル（２４）に接続されることを特徴する請求項７に記載の介護機器。
【請求項１２】
前記動作ヘッド（２）内にラッパ状のインナーボウル（１３０）が設けられ、インナーボウル（１３０）の大径端にジャケット（１２１）が接続されて設けられ、前記本体（１）に、配管によって接続される負圧源（２２３）と汚物バレルが設けられ、前記インナーボウル（１３０）の小径端にシールバルブが設けられ、シールバルブが配管によって汚物バレルに接続され、前記本体（１）の本体台座（２２１）に係止溝（２２２）が設けられ、係止溝（２２２）内に消臭ユニット（２０３）が接続されて設けられ、消臭ユニット（２０３）が負圧源（２２３）の吹き出し口に接続されることを特徴する請求項６に記載の介護機器。
【請求項１３】
前記シールバルブは、バルブシート（２１３）とバルブカバー（２１４）を備え、バルブカバー（２１４）がバルブシート（２１３）内に設けられ且つそのピンに接続され、バルブシート（２１３）の前端がバルブカバー（２１４）をインナーボウル（１３０）の小径端に当接させようにインナーボウル（１３０）の小径端に套設され、バルブシート（２１３）の後端が配管によって汚物バレルに接続されることを特徴する請求項１２に記載の介護機器。
【請求項１４】
前記消臭ユニット（２０３）は、消臭ユニットハウジング（２３１）及び複数のフィルタ（２３２）を備え、消臭ユニットハウジング（２３１）の裏側面に、負圧源（２２３）の吹き出し口と接続されるポート（２３６）が設けられ、消臭ユニットハウジング（２３１）の底面に排気口が設けられ、消臭ユニットハウジング（２３１）内にポート（２３６）と排気口を連通する仕切り通路（２３３）が設けられ、複数のフィルタ（２３２）が仕切り通路（２３３）内に順に配列されるように設置されることを特徴する請求項１２に記載の介護機器。
【請求項１５】
前記消臭ユニットハウジング（２３１）の外側面にロックシリンダー（２３４）が設けられ、ロックシリンダー（２３４）にバネとロックキャッチ（２３５）が套設されるとともに、バネの上端がロックシリンダー（２３４）の上端の消臭ユニットハウジング（２３１）に当接され、前記本体台座（２２１）の係止溝（２２２）にロックキャッチ（２３５）と嵌合する止めノッチ（２２４）が設けられることを特徴する請求項１４に記載の介護機器。
【請求項１６】
前記本体（１）のハウジングの側板において消臭ユニット（２０３）と対応する位置に取外し口が設けられ、取外し口にカバープレート（２２５）が覆われることを特徴する請求項１４に記載の介護機器。
【請求項１７】
前記動作ヘッドは、動作ヘッドハウジング（１２０）を備え、動作ヘッドハウジング（１２０）内にラッパ状のインナーボウル（１３０）が設けられ、動作ヘッドハウジング（１２０）の上端に、インナーボウル（１３０）の大径端と接続されるジャケット（１２１）が設けられ、前記動作ヘッドハウジング（１２０）内に分流弁（３３２）が設けられ、インナーボウル（１３０）の大径端に複数のノズル（２４）が設けられ、複数のノズル（２４）が配管によって分流弁（３３２）に接続され、前記本体（１）と動作ヘッドハウジング（１２０）の末端との間にホース（１４０）が接続されて設けられ、ホース（１４０）内に汚物管（３４１）、清水管（３４２）及び制御回路（１４１）が設けられ、汚物管（３４１）の両端がそれぞれインナーボウル（１３０）の小径端と本体（１）における汚物吸引機構に接続され、清水管（３４２）の両端がそれぞれ分流弁（３３２）と本体（１）における給水装置に接続され、分流弁（３３２）が制御回路（１４１）によって本体（１）における制御システムに接続されることを特徴する請求項６に記載の介護機器。
【請求項１８】
前記分流弁（３３２）に複数の出水孔が設けられるとともに、複数の出水孔が１つずつ並列配管によって対応するノズル（２４）に接続されることを特徴する請求項１７に記載の介護機器。
【請求項１９】
前記給水装置は、水タンク（３５１）、ポンプ（３５２）及びＰＴＣヒータ（３５３）を備え、ＰＴＣヒータ（３５３）が水タンク（３５１）に接続され、清水管（３４２）がポンプ（３５２）に接続されるとともに、ポンプ（３５２）が配管によって水タンク（３５１）に接続されることを特徴する請求項１７に記載の介護機器。
【請求項２０】
前記複数のノズル（２４）は、インナーボウル（１３０）の大径端の両側に対称的に設けられ、ノズル（２４）に洗浄ノズルとクリーニングノズルが設けられることを特徴する請求項１７に記載の介護機器。
【請求項２１】
前記汚物管（３４１）とシールシート（３３１）の継手部にクランプ（３４４）が設けられることを特徴する請求項１７に記載の介護機器。
【請求項２２】
動作ヘッド（２）及びホース（１４０）を備え、前記動作ヘッド（２）の末端にベース（４１０）が設けられ、ベース（４１０）の両側にフック状のハンガー（４１１）が設けられ、ベース（４１０）の後端面に汚水ポート（４１２）、電気回路ポート（４１３）及び清水ポート（４１４）が設けられ、前記ホース（１４０）の前端にプラグ（４２０）が接続されて設けられ、プラグ（４２０）の両側に掛け金（４２１）が設けられ、プラグ（４２０）の前端面に汚水継手（４２２）、電気回路継手（４２３）及び清水継手（４２４）が設けられることを特徴する請求項６に記載の介護機器。
【請求項２３】
前記ベース（４１０）の後端面に複数の位置決め孔（４１５）が設けられ、複数の位置決め孔（４１５）がベース（４１０）の中心線の両側に沿って対称的に分布し、プラグ（４２０）の前端面に複数の位置決め柱（４２５）が設けられるとともに、複数の位置決め柱（４２５）が複数の位置決め孔（４１５）とペアになるように設置されることを特徴する請求項２２に記載の介護機器。
【請求項２４】
前記位置決め柱（４２５）は、前部が小さく後部が大きい錐台構造として設置され、位置決め孔（４１５）のポート縁に面取り部が設けられることを特徴する請求項２３に記載の介護機器。
【請求項２５】
前記汚水ポート（４１２）の外縁に第１環状溝（４１７）が設けられ、第１環状溝（４１７）にＯリングが套設され、汚水継手（４２２）の内径が汚水ポート（４１２）の外径にマッチングすることを特徴する請求項２２に記載の介護機器。
【請求項２６】
前記ベース（４１０）の後端面に嵌合孔（４１８）が設けられ、汚水ポート（４１２）が嵌合孔（４１８）内に套設され、嵌合孔（４１８）の内径が汚水継手（４２２）の外径にマッチングすることを特徴する請求項２２に記載の介護機器。
【請求項２７】
前記清水継手（４２４）の外縁に第２環状溝（４２７）が設けられ、第２環状溝（４２７）にＯリングが套設され、清水継手（４２４）の外径が清水ポート（４１４）の内径にマッチングすることを特徴する請求項２２に記載の介護機器。
【請求項２８】
前記電気回路ポート（４１３）の内壁にガイドバー（４１６）が設けられ、電気回路継手（４２３）の外壁にガイドバー（４１６）と嵌合するガイド溝（４２６）が設けられることを特徴する請求項２２に記載の介護機器。
【請求項２９】
本体ハウジング（１０）を備え、前記本体ハウジング（１０）のパネルに接続ベース（２０）が設けられ、接続ベース（２０）の前端の外縁にねじ山が設けられ、接続ベース（２０）の内孔の両側にあて板（２１）が設けられ、接続ベース（２０）にナットスリーブ（３０）、ホーススリーブ（６０）、第１管継手（５０）、第２管継手（４０）が接続されて設けられ、前記第２管継手（４０）に第２套管（４１）と第２配管（４２）が設けられ、第２套管（４１）と第２配管（４２）の前端があて板（２１）を貫通するとともに、第２管継手（４０）があて板（２１）の後側に当接され、前記第１管継手（５０）に止めリング（５３）、第１套管（５１）及び第１配管（５２）が設けられ、第１套管（５１）と第１配管（５２）の前端が止めリング（５３）内に設けられ、第１套管（５１）の後端が第２套管（４１）の前端内に穿設され、第１配管（５２）の後端が第２配管（４２）の前端内に穿設され、前記ホーススリーブ（６０）の後端が止めリング（５３）に套設され、ナットスリーブ（３０）がホーススリーブ（６０）に套設されるとともに、ナットスリーブ（３０）の後端が接続ベース（２０）の前端に螺合されることを特徴する請求項６に記載の介護機器。
【請求項３０】
前記止めリング（５３）の前端外縁にガイド歯（５４）が設けられ、ホーススリーブ（６０）の内壁に止め歯（６１）が設けられることを特徴する請求項２９に記載の介護機器。
【請求項３１】
前記第１管継手（５０）に線通し溝（５５）が設けられ、第２管継手（４０）において線通し溝（５５）と対応する位置に線通し孔（４３）が設けられることを特徴する請求項２９に記載の介護機器。
【請求項３２】
前記接続ベース（２０）の裏側において第２管継手（４０）と対応する位置に複数の固定孔（４３）が設けられることを特徴する請求項２９に記載の介護機器。
【請求項３３】
前記第１配管（５２）と第２配管（４２）の裏端外縁に波形歯が設けられることを特徴する請求項２９に記載の介護機器。
【請求項３４】
本体（１）及び動作ヘッドを備える新型乾燥・介護機器であって、前記動作ヘッドは、動作ヘッドハウジング（１２０）を備え、動作ヘッドハウジング（１２０）内にラッパ状のインナーボウル（１３０）が設けられ、動作ヘッドハウジング（１２０）の上端に、インナーボウル（１３０）の大径端と接続されるジャケット（１２１）が設けられ、前記動作ヘッドハウジング（１２０）内に乾燥装置が設けられ、乾燥装置の吹き出し口（１３１）がインナーボウル（１３０）に接続され、本体（１）に制御システムが設けられ、前記乾燥装置が制御システムに電気接続されることを特徴する新型乾燥・介護機器。
【請求項３５】
前記乾燥装置は、渦巻き状の乾燥装置ハウジング（３０）、ＰＴＣヒータ（３１）及びファン（３２）を備え、乾燥装置ハウジング（３０）の前端が吹き出し口（１３１）に接続され、ＰＴＣヒータ（３１）が乾燥装置ハウジング（３０）内に設けられ、ファン（３２）が乾燥装置ハウジング（３０）の末端に設けられ、ＰＴＣヒータ（３１）とファン（３２）とはそれぞれ制御システムに電気接続されることを特徴する請求項３４に記載の新型乾燥・介護機器。
【請求項３６】
前記動作ヘッドハウジング（１２０）と本体（１）との間にホース（１４０）が設けられ、ホース（１４０）内に制御システムに接続される制御回路（１４１）が設けられ、制御回路（１４１）がＰＴＣヒータ（３１）とファン（３２）にそれぞれ接続されることを特徴する請求項３５に記載の新型乾燥・介護機器。
【請求項３７】
前記本体（１）に交流変換器（１５３）が設けられ、交流変換器（１５３）が制御システムとＰＴＣヒータ（３１）との間の制御回路（１４１）に接続されて設けられることを特徴する請求項３６に記載の新型乾燥・介護機器。
【請求項３８】
前記本体（１）に汚物吸引装置（１５１）とクリーニング機構（１５２）が設けられ、汚物吸引装置（１５１）が配管によってインナーボウル（１３０）に接続され、インナーボウル（１３０）にノズル（２４）が設けられ、クリーニング機構（１５２）が配管によってノズル（２４）に接続されることを特徴する請求項３４に記載の新型乾燥・介護機器。
【請求項３９】
動作ヘッド（２）及び本体（１）を備え、前記動作ヘッド（２）内にラッパ状のインナーボウル（１３０）が設けられ、インナーボウル（１３０）の大径端にジャケット（１２１）が接続されて設けられ、前記本体（１）に、配管によって接続される負圧源（２２３）と汚物バレルが設けられる取り外し容易な消臭介護機器であって、前記インナーボウル（１３０）の小径端にシールバルブが設けられ、シールバルブが配管によって汚物バレルに接続され、前記本体（１）の本体台座（２２１）に係止溝（２２２）が設けられ、係止溝（２２２）内に消臭ユニット（２０３）が接続されて設けられ、消臭ユニット（２０３）が負圧源（２２３）の吹き出し口に接続されることを特徴する取り外し容易な消臭介護機器。
【請求項４０】
前記シールバルブは、バルブシート（２１３）及びバルブカバー（２１４）を備え、バルブカバー（２１４）がバルブシート（２１３）内に設けられ且つそのピンに接続され、バルブシート（２１３）の前端がバルブカバー（２１４）をインナーボウル（１３０）の小径端に当接させるようにインナーボウル（１３０）の小径端に套設されて、バルブシート（２１３）の後端が配管によって汚物バレルに接続されることを特徴する請求項３９に記載の取り外し容易な消臭介護機器。
【請求項４１】
前記消臭ユニット（２０３）は、消臭ユニットハウジング（２３１）及び複数のフィルタ（２３２）を備え、消臭ユニットハウジング（２３１）の裏側面に、負圧源（２２３）の吹き出し口と接続されるポート（２３６）が設けられ、消臭ユニットハウジング（２３１）の底面に排気口が設けられ、消臭ユニットハウジング（２３１）内にポート（２３６）と排気口を連通する仕切り通路（２３３）が設けられ、複数のフィルタ（２３２）が仕切り通路（２３３）内に順に配列されるように設置されることを特徴する請求項３９に記載の取り外し容易な消臭介護機器。
【請求項４２】
前記消臭ユニットハウジング（２３１）の外側面にロックシリンダー（２３４）が設けられ、ロックシリンダー（２３４）にバネとロックキャッチ（２３５）が套設されるとともに、バネの上端がロックシリンダー（２３４）の上端の消臭ユニットハウジング（２３１）に当接され、前記本体台座（２２１）の係止溝（２２２）にロックキャッチ（２３５）と嵌合する止めノッチ（２２４）が設けられることを特徴する請求項４１に記載の取り外し容易な消臭介護機器。
【請求項４３】
前記本体（１）ハウジングの側板において消臭ユニット（２０３）と対応する位置に取外し口が設けられ、取外し口にカバープレート（２２５）が覆われることを特徴する請求項４１に記載の取り外し容易な消臭介護機器。
【請求項４４】
動作ヘッド及び本体（１）を備える単一水路型介護機器であって、前記動作ヘッドは、動作ヘッドハウジング（１２０）を備え、動作ヘッドハウジング（１２０）内にラッパ状のインナーボウル（１３０）が設けられ、動作ヘッドハウジング（１２０）の上端に、インナーボウル（１３０）の大径端と接続されるジャケット（１２１）が設けられ、前記動作ヘッドハウジング（１２０）内に分流弁（３３２）が設けられ、インナーボウル（１３０）の大径端に複数のノズル（２４）が設けられ、複数のノズル（２４）が配管によって分流弁（３３２）に接続され、前記本体（１）と動作ヘッドハウジング（１２０）の末端との間にホース（１４０）が接続されて設けられ、ホース（１４０）内に汚物管（３４１）、清水管（３４２）及び制御回路（１４１）が設けられ、汚物管（３４１）の両端がそれぞれインナーボウル（１３０）の小径端と本体（１）における汚物吸引機構に接続され、清水管（３４２）の両端がそれぞれ分流弁（３３２）と本体（１）における給水装置に接続され、分流弁（３３２）が制御回路（１４１）によって本体（１）における制御システムに接続されることを特徴する単一水路型介護機器。
【請求項４５】
前記分流弁（３３２）に複数の出水孔が設けられるとともに、複数の出水孔が１つずつ並列配管によって対応するノズル（２４）に接続されることを特徴する請求項４４に記載の単一水路型介護機器。
【請求項４６】
前記給水装置は水タンク（３５１）、ポンプ（３５２）及びＰＴＣヒータ（３５３）を備え、ＰＴＣヒータ（３５３）が水タンク（３５１）に接続され、清水管（３４２）がポンプ（３５２）に接続されるとともに、ポンプ（３５２）が配管によって水タンク（３５１）に接続されることを特徴する請求項４４に記載の単一水路型介護機器。
【請求項４７】
前記複数のノズル（２４）は、インナーボウル（１３０）の大径端の両側に対称的に設けられ、ノズル（２４）に洗浄ノズルとクリーニングノズルが設けられることを特徴する請求項４４に記載の単一水路型介護機器。
【請求項４８】
前記汚物管（３４１）とシールシート（３３１）の継手部にクランプ（３４４）が設けられることを特徴する請求項４４に記載の単一水路型介護機器。
【請求項４９】
動作ヘッド（２）及びホース（１４０）を備える介護機器の迅速接続構造であって、前記動作ヘッド（２）の末端にベース（４１０）が設けられ、ベース（４１０）の両側にフック状のハンガー（４１１）が設けられ、ベース（４１０）の後端面に汚水ポート（４１２）、電気回路ポート（４１３）及び清水ポート（４１４）が設けられ、前記ホース（１４０）の前端にプラグ（４２０）が接続されて設けられ、プラグ（４２０）の両側に掛け金（４２１）が設けられ、プラグ（４２０）の前端面に汚水継手（４２２）、電気回路継手（４２３）及び清水継手（４２４）が設けられることを特徴する介護機器の迅速接続構造。
【請求項５０】
前記ベース（４１０）の後端面に複数の位置決め孔（４１５）が設けられ、複数の位置決め孔（４１５）がベース（４１０）の中心線の両側に沿って対称的に分布し、プラグ（４２０）の前端面に複数の位置決め柱（４２５）が設けられるとともに、複数の位置決め柱（４２５）が複数の位置決め孔（４１５）とペアになるように設置されることを特徴する請求項４９に記載の介護機器の迅速接続構造。
【請求項５１】
前記位置決め柱（４２５）は、前部が小さく後部が大きい錐台構造として設置され、位置決め孔（４１５）のポート縁に面取り部が設けられることを特徴する請求項５０に記載の介護機器の迅速接続構造。
【請求項５２】
前記汚水ポート（４１２）の外縁に第１環状溝（４１７）が設けられ、第１環状溝（４１７）にＯリングが套設され、汚水継手（４２２）の内径が汚水ポート（４１２）の外径にマッチングすることを特徴する請求項４９に記載の介護機器の迅速接続構造。
【請求項５３】
前記ベース（４１０）の後端面に嵌合孔（４１８）が設けられ、汚水ポート（４１２）が嵌合孔（４１８）内に套設され、嵌合孔（４１８）の内径が汚水継手（４２２）の外径にマッチングすることを特徴する請求項４９に記載の介護機器の迅速接続構造。
【請求項５４】
前記清水継手（４２４）の外縁に第２環状溝（４２７）が設けられ、第２環状溝（４２７）にＯリングが套設され、清水継手（４２４）の外径が清水ポート（４１４）の内径にマッチングすることを特徴する請求項４９に記載の介護機器の迅速接続構造。
【請求項５５】
前記電気回路ポート（４１３）の内壁にガイドバー（４１６）が設けられ、電気回路継手（４２３）の外壁にガイドバー（４１６）と嵌合するガイド溝（４２６）が設けられることを特徴する請求項４９に記載の介護機器の迅速接続構造。
【請求項５６】
本体の本体ハウジング（１０）を備える介護機器の迅速組立・外れ防止機構であって、前記本体ハウジング（１０）のパネルに接続ベース（２０）が設けられ、接続ベース（２０）の前端の外縁にねじ山が設けられ、接続ベース（２０）の内孔の両側にあて板（２１）が設けられ、接続ベース（２０）にナットスリーブ（３０）、ホーススリーブ（６０）、第１管継手（５０）、第２管継手（４０）が接続されて設けられ、前記第２管継手（４０）に第２套管（４１）と第２配管（４２）が設けられ、第２套管（４１）と第２配管（４２）の前端があて板（２１）を貫通し且つ第２管継手（４０）があて板（２１）の後側に当接され、前記第１管継手（５０）に止めリング（５３）、第１套管（５１）及び第１配管（５２）が設けられ、第１套管（５１）と第１配管（５２）の前端が止めリング（５３）内に設けられ、第１套管（５１）の後端が第２套管（４１）の前端内に穿設され、第１配管（５２）の後端が第２配管（４２）の前端内に穿設され、前記ホーススリーブ（６０）の後端が止めリング（５３）に套設され、ナットスリーブ（３０）がホーススリーブ（６０）に套設されるとともに、ナットスリーブ（３０）の後端が接続ベース（２０）の前端に螺合されることを特徴する介護機器の迅速組立・外れ防止機構。
【請求項５７】
前記止めリング（５３）の前端外縁にガイド歯（５４）が設けられ、ホーススリーブ（６０）の内壁に止め歯（６１）が設けられることを特徴する請求項５６に記載の介護機器の迅速組立・外れ防止機構。
【請求項５８】
前記第１管継手（５０）に線通し溝（５５）が設けられ、第２管継手（４０）において線通し溝（５５）と対応する位置に線通し孔（４３）が設けられることを特徴する請求項５６に記載の介護機器の迅速組立・外れ防止機構。
【請求項５９】
前記接続ベース（２０）の裏側において第２管継手（４０）と対応する位置に複数の固定孔（４３）が設けられることを特徴する請求項５６に記載の介護機器の迅速組立・外れ防止機構。
【請求項６０】
前記第１配管（５２）と第２配管（４２）の裏端外縁に波形歯が設けられることを特徴する請求項５６に記載の介護機器の迅速組立・外れ防止機構。
【発明の詳細な説明】
【技術分野】
【０００１】
本発明は、医療・介護機器の技術分野に関し、特に介護機器の動作ヘッドにおけるインナーボウル及び介護機器に関する。
【背景技術】
【０００２】
人々の生活水準の向上に伴って、心血管・脳血管等の疾患によって自分で排尿や排便ができない寝たきりの患者は、年々増加し、家庭、社会に大きなプレッシャーをもたらす。患者は自分で排尿や排便ができないため、看護スタッフの協力を必要とし、患者の排泄時間の不確定性が看護スタッフの仕事量を増加するとともに、患者の身体、特にメンタルに大きな痛み及び負担を引き起こす。
【０００３】
したがって、医療機構や患者の家族は、往々にして専用の排泄介護機器を使用することによって、介護者の負担を軽減させ、患者の治療環境を効果的に改善することができる。一般的な介護機器は、動作ヘッド及び本体を備え、動作ヘッドは、汚物を吸収して患者の下半身をクリーニングすることに用いられ、動作ヘッドに、患者に貼り付けられるガムスリーブ及び通路インナーボウルが設けられる。従来、市場の介護機器の通路インナーボウルは、ほとんど平底の斜面を採用し、洗浄時に大量の高圧水を使用しないと、排泄物をきれいに洗浄することができない。また、従来の介護機器のセンサは、不適切な設定があり、誤トリガや検出故障が発生しやすく、手動による介入を必要とする場合が多く、看護スタッフの仕事量を増加してしまう。
【０００４】
介護機器は、患者の下半身を洗浄した後に乾燥処理を行う必要があり、従来の介護機器は、本体における汚物吸引モータにおける冷却ファンを気源として使用し、さらにヒータによって気流を加熱した後に動作ヘッドの温風口に吹き込む。本体と動作ヘッドとが長い配管によって接続されるため、乾燥効果が低下し、且つモーターブラシによるトナーも気流とともに患者の体に吹き付けられる。動作ヘッドの吹き出し口にヒータを増設する場合もあるが、直流ヒータの定格電力が限られ、加熱効果が不良である。したがって、従来の介護機器を改善する必要がある。
【０００５】
従来の介護機器は、構造及び機能が不適切であり、使用中にはいくつかの問題が存在する。介護機器の動作ヘッドは、患者の排泄物を収集した後に、負圧源により汚物バレルに負圧をかけ、更に排泄物を汚物吸引配管によって本体の汚物バレルに吸入する。汚物バレル内の異臭は負圧源の吸引過程において外部へ排出されて環境に悪影響を及ぼす。従来の介護機器は一般的に、底部に消臭フィルタが取り付けられるが、フィルタを交換する際に本体を反転する必要があり、取付・接続が煩雑である。また、介護機器の待機状態中に、汚物バレル内の異臭が汚物吸引配管を介して動作ヘッドに還流して部屋へ発散しやすい。したがって、使用性能を向上させるように、従来の介護機器を改善する必要がある。
【０００６】
介護機器の作動中に、水で大小便及び患者の排便部位を洗浄することの実施に、複数の異なるノズルが必要となり、水タンクは、独立な配管によって異なる洗浄ノズルに接続され且つ電磁弁又は電動弁を水路選択装置として必要とし、電磁弁と電動弁の体積が大きいため、水タンクとともに本体に設置されるしかできない。本体と動作ヘッドとの距離が遠く、ノズルが動作ヘッド内に設置され、水タンクとノズルとの間の配管が長いため、配管の劣化で水漏れのリスクが増加してしまい、各配管を切り替える際に、元の配管に残存した水量が多く、次回作動する際に、この部分の水量は冷水のまま患者の排便部位に流し、患者の不快感を引き起こす虞がある。
【０００７】
動作ヘッドは、患者の下半身に套設されて排泄物を収集することに用いられ、動作ヘッドに、患者の下半身を洗浄し動作ヘッドの内部をクリーニングする噴水機構が設けられ、動作ヘッドに、更に患者の下半身を乾燥させる送風機が設けられ、本体に、汚物吸引装置、給水装置及び制御プロセッサが設けられ、給水装置は、清水を加熱して、ポンプにより動作ヘッドの噴水機構に搬送し、汚物吸引装置は、真空引き作用によって動作ヘッドにおける排泄物とクリーニング用水を吸引する。したがって、介護機器の動作ヘッドと本体の各部材は、汚水管、清水管及び電気回路によって接続される必要があり、これら汚水管、清水管及び電気回路は、束ねられて１本の接続ホースに穿設し、該接続ホース、汚水管、清水管及び電気回路の両端はそれぞれ本体と動作ヘッドに接続される。使用中に接続ホースが動作ヘッド及び本体から外れることを防止するために、従来、接続ホースを動作ヘッドと本体に固定接続する場合が多く、これにより誤動作による外れに起因する配管内の排泄物や水の漏れを避ける。しかし、患者が動作ヘッドを着用する必要がない場合に、動作ヘッドを収納しにくい問題が発生し、わずかな継手漏れの問題があっても、動作ヘッドを完全に分解する必要があり、検出や修理に多くのトラブルをもたらすため、その使用性能を向上させるために改良する必要がある。
【０００８】
動作ヘッドは、ホースによって本体に接続されて更に排泄物と汚水を汚水バレルに収集する。本体とホースとは、一般的に、管継手で套設されて、本体の継手にネジで固定されまたは直接ホースの弾性によって挿入されて接続される。この２種類の従来の接続方式は、使用中に取付接続が煩雑で、接続強度が低く、自動外れが発生しやすいなどの問題があるため、従来の構造を改善する必要がある。
【発明の概要】
【発明が解決しようとする課題】
【０００９】
本発明は、従来の技術の欠陥や欠点に対処して、構造が適切であり、反応が迅速且つ正確であり、使用しやすく、より高い使用効果を有する介護機器の動作ヘッドにおけるインナーボウル及び介護機器を提供することを目的とする。
【課題を解決するための手段】
【００１０】
上記の目的を達成するために、本発明は、以下の技術的解決手段を採用する。
【００１１】
本発明に係る介護機器の動作ヘッドにおけるインナーボウルは、ボウル本体、あて板及び乾燥装置を備え、前記ボウル本体は、前部に楔状のボウル開口部が設けられ、ボウル開口部の頂面が水平に設置された排泄口となり、ボウル開口部の底面が傾斜して設置されたＵ字の円弧状底面であり、ボウル開口部のＵ字の円弧状底面の両側にそれぞれ反射型赤外線式の大便センサが設けられ、ボウル本体の底面の外側に小便センサが設けられ、前記あて板は、ボウル本体に垂直に設けられるとともに排泄口に一体に接続され、乾燥装置がボウル本体の後側に設けられ、乾燥装置の吹き出し口があて板の下のボウル本体の後側壁に設けられる。
【００１２】
更に、前記大便センサに複数の感知用の検出ヘッドが設けられ、複数の感知用の検出ヘッドは、ボウル開口部の側縁に沿って前後に設置されるとともに、それぞれボウル開口部の異なる底面領域に対応する。
【００１３】
更に、前記小便センサに２つの金属製の検出ヘッドが設けられるとともに、２つの金属製の検出ヘッドがボウル本体の底面を貫通して露出し、２つの金属製の検出ヘッドの間におけるボウル本体の底面に、ボスが設けられる。
【００１４】
更に、前記ボウル開口部の両側に左右のノズルが設けられ、ノズルが排泄口の下に水平に設置される。
【００１５】
更に、前記乾燥装置は、乾燥装置ハウジング、ファン及びＰＴＣヒータを備え、乾燥装置ハウジングの前端における吹き出し口がボウル本体の後側壁に接続され、ＰＴＣヒータが乾燥装置ハウジングの前部に設けられ、ファンが乾燥装置ハウジングの末端に設けられる。
【００１６】
本発明は、さらに、本体と、上記インナーボウルを用いた動作ヘッドと、を備える介護機器を提供する。
【００１７】
更に、前記動作ヘッドは、動作ヘッドハウジングを備え、動作ヘッドハウジング内にラッパ状のインナーボウルが設けられ、動作ヘッドハウジングの上端に、インナーボウルの大径端と接続されるジャケットが設けられ、前記動作ヘッドハウジング内に乾燥装置、即ち温風機が設けられ、乾燥装置の吹き出し口がインナーボウルに接続され、本体に制御システムが設けられ、前記乾燥装置が制御システムに電気接続される。
【００１８】
更に、前記乾燥装置は、渦巻き状の乾燥装置ハウジング、ＰＴＣヒータ及びファンを備え、乾燥装置ハウジングの前端が吹き出し口に接続され、ＰＴＣヒータが乾燥装置ハウジング内に設けられ、ファンが乾燥装置ハウジングの末端に設けられ、ＰＴＣヒータ及びファンがそれぞれ制御システムに電気接続される。
【００１９】
更に、前記動作ヘッドハウジングと本体との間に、ホースが設けられ、ホース内に制御システムと接続される制御回路が設けられ、制御回路がＰＴＣヒータ及びファンにそれぞれ接続される。
【００２０】
更に、前記本体に交流変換器が設けられ、交流変換器が制御システムとＰＴＣヒータとの間の制御回路に接続されて設けられる。
【００２１】
更に、前記本体に汚物吸引装置とクリーニング機構が設けられ、汚物吸引装置が配管によってインナーボウルに接続され、インナーボウルにノズルが設けられ、クリーニング機構が配管によってノズルに接続される。
【００２２】
更に、前記動作ヘッド内にラッパ状のインナーボウルが設けられ、インナーボウルの大径端にジャケットが接続されて設けられ、前記本体に、配管によって接続された負圧源と汚物バレルが設けられ、前記インナーボウルの小径端にシールバルブが設けられ、シールバルブが配管によって汚物バレルに接続され、前記本体の本体台座に係止溝が設けられ、係止溝内に消臭ユニットが接続されて設けられ、消臭ユニットが負圧源吹き出し口に接続される。
【００２３】
更に、前記シールバルブは、バルブシートとバルブカバーを備え、バルブカバーがバルブシート内に設けられ且つそのピンに接続され、バルブシートの前端がバルブカバーをインナーボウルの小径開口部に当接させるようにインナーボウルの小径端に套設され、バルブシートの後端が配管によって汚物バレルに接続される。
【００２４】
更に、前記消臭ユニットは、消臭ユニットハウジング及び複数のフィルタを備え、消臭ユニットハウジングの裏側面に、負圧源吹き出し口と接続されるポートが設けられ、消臭ユニットハウジングの底面に排気口が設けられ、消臭ユニットハウジング内にポートと排気口を連通する仕切り通路が設けられ、複数のフィルタが仕切り通路内に順に配列されるように設置される。
【００２５】
更に、前記消臭ユニットハウジングの外側面にロックシリンダーが設けられ、ロックシリンダーにバネとロックキャッチが套設されるとともに、バネの上端がロックシリンダーの上端の消臭ユニットハウジングに当接され、前記本体台座の係止溝にロックキャッチと嵌合する止めノッチが開設される。
【００２６】
更に、前記本体ハウジングの側板において消臭ユニットと対応する位置に、取外し口が設けられ、取外し口にカバープレートが覆われる。
【００２７】
更に、動作ヘッドハウジング内にラッパ状のインナーボウルが設けられ、動作ヘッドハウジングの上端にインナーボウルの大径端と接続されるジャケットが設けられ、前記動作ヘッドハウジング内に分流弁が設けられ、インナーボウルの大径端に複数のノズルが設けられ、複数のノズルが配管によって分流弁に接続され、前記本体と動作ヘッドハウジングの末端との間にホースが接続されて設けられ、ホース内に汚物管、清水管及び制御回路が設けられ、汚物管の両端がそれぞれインナーボウルの小径端と本体における汚物吸引機構に接続され、清水管の両端がそれぞれ分流弁と本体における給水装置に接続され、分流弁が制御回路によって本体における制御システムに接続される。
【００２８】
更に、前記分流弁に複数の出水孔が設けられ、且つ複数の出水孔が１つずつ並列配管によって対応するノズルに接続される。
【００２９】
更に、前記給水装置は、水タンク、ポンプ及びＰＴＣヒータを備え、ＰＴＣヒータが水タンクに接続され、清水管がポンプに接続されるとともに、ポンプが配管によって水タンクに接続される。
【００３０】
更に、複数のノズルがインナーボウルの大径端の両側に対称的に設けられ、ノズルに洗浄ノズルとクリーニングノズルが設けられる。
【００３１】
更に、前記汚物管とシールシートの継手部にクランプが設けられる。
【００３２】
更に、前記動作ヘッドの末端にベースが設けられ、ベースの両側、にフック状のハンガーが設けられ、ベースの後端面に汚水ポート、電気回路ポート及び清水ポートが設けられ、前記ホースの前端にプラグが接続されて設けられ、プラグの両側に掛け金が設けられ、プラグの前端面に汚水継手、電気回路継手及び清水継手が設けられる。
【００３３】
更に、前記ベースの後端面に、ベースの中心線の両側に沿って対称的に分布している複数の位置決め孔が設けられ、プラグの前端面に、複数の位置決め孔とペアになるように設置される複数の位置決め柱が設けられる。
【００３４】
更に、前記位置決め柱は、前部が小さく後部が大きい錐台構造として設置され、位置決め孔のポート縁に面取り部が設けられる。
【００３５】
更に、前記汚水ポートの外縁に第１環状溝が設けられ、第１環状溝に、Ｏリングが套設され、汚水継手の内径が汚水ポートの外径にマッチングする。
【００３６】
更に、前記ベースの後端面に、内径が汚水継手の外径にマッチングする嵌合孔が設けられ、汚水ポートが嵌合孔内に套設される。
【００３７】
更に、前記清水継手の外縁に第２環状溝が設けられ、第２環状溝にＯリングが套設され、清水継手の外径が清水ポートの内径にマッチングする。
【００３８】
更に、前記電気回路ポートの内壁にガイドバーが設けられ、電気回路継手の外壁にガイドバーと嵌合するガイド溝が設けられる。
【００３９】
更に、本体ハウジングを備え、前記本体ハウジングのパネルに接続ベースが設けられ、接続ベースの前端の外縁にねじ山が設けられ、接続ベースの内孔の両側にあて板が設けられ、接続ベースにナットスリーブ、ホーススリーブ、第１管継手、及び第２管継手が接続されて設けられ、前記第２管継手に第２套管と第２配管が設けられ、第２套管と第２配管との前端があて板を貫通するとともに、第２管継手があて板の後側に当接され、前記第１管継手に止めリング、第１套管及び第１配管が設けられ、第１套管と第１配管の前端が止めリング内に設けられ、第１套管の後端が第２套管の前端内に穿設され、第１配管の後端が第２配管の前端内に穿設され、前記ホーススリーブの後端が止めリングに套設され、ナットスリーブがホーススリーブに套設されるとともにナットスリーブの後端が接続ベースの前端に螺合される。
【００４０】
更に、前記止めリングの前端外縁にガイド歯が設けられ、ホーススリーブの内壁に止め歯が設けられる。
【００４１】
更に、前記第１管継手に線通し溝が設けられ、第２管継手において線通し溝と対応する位置に線通し孔が設けられる。
【００４２】
更に、前記接続ベースの裏側において第２管継手と対応する位置に複数の固定孔が設けられる。
【００４３】
更に、前記第１配管及び第２配管の裏端外縁に波形歯が設けられる。
【発明の効果】
【００４４】
有益な効果として、本発明は、構造が適切であり、ボウル開口部の円弧状底面が排泄物の自重による落下することに有利であり、洗浄クリーニング及び節水に寄与し、赤外線が複数の領域に照射して検出し、大小便の排泄物を自動的に区別でき、ボスが水膜の生成を防止し、誤トリガや検出漏れを避ける。
【００４５】
上記インナーボウルを用いた介護機器によれば、本体における制御システムは、ＰＴＣヒータとファンの作動を制御するように指示し、プログラムによって風温、風量を制御する精度を向上させ、従来により温風源が患者に近く、乾燥効果がより高く、ヒータが独立に設置され且つ交流変換器を採用することにより、加熱電力を確保するとともに、電源と分離して使用されるため、安全性がより高い。
【００４６】
本体の本体台座に開口した係止溝が設置され、消臭フィルタが側板の取外し口を介して係止溝に送入された後、バネとロックキャッチが止めノッチに挿入されて固定され、ユニットポートが負圧源吹き出し口にドッキングされ、取り付けが容易で取り外しが迅速であり、インナーボウルの裏ポートに設置されたバルブカバーが負圧源の待機中に汚物吸引通路を閉鎖し、汚物バレル内の異臭がインナーボウルを経由して室内に発散することを避ける。
【００４７】
本体と動作ヘッドとが１本の清水管によって接続され、使用される配管の全長さを低減させ水漏れのリスクを軽減させ、分流弁とノズルとの距離を短縮させ、配管内の滞留水を減少させ、冷水が滞留して患者の体に噴射することを避け、介護機器の使用快適さを向上させ、分流弁構造の使用が柔軟であり、接続配管を追加することなくノズルを追加することができる。
【００４８】
ベースとプラグにマルチな位置決め・マッチング部が設置されて正確な接続を実現し、汚水ポート及び汚水継手、清水ポート及び清水継手がいずれもマッチングした寸法でシールリングによりシールされ、動作ヘッドを使用しない際にベースとプラグとの嵌合、掛け金とハンガーの接続方式によって迅速に組み立てることと柔軟に取り外すことを実現し、接続が安定して使用しやすい。
【００４９】
ナットスリーブ、第１管継手、第２管継手、ホーススリーブを組み合わせて接続することによって、介護機器の汚物吸引管、配管、制御回路が一体に統合され、更に、絶縁ホースで被覆して接続し、水漏れ現象を避け、螺合することによって結合が迅速かつ容易であり、ホースが本体から自動外れしないことを確保する。
【図面の簡単な説明】
【００５０】
【図１】本発明に係る介護機器の動作ヘッドにおけるインナーボウルの全体構造を示す正面模式図である。
【図２】本発明に係る介護機器の動作ヘッドにおけるインナーボウルの全体構造を示す斜視模式図である。
【図３】本発明に係る介護機器の動作ヘッド部分の構造模式図（１）である。
【図４】本発明に係る介護機器の本体部分の構造模式図（１）である。
【図５】本発明に係る介護機器の本体部分の分解構造模式図である。
【図６】本発明に係る介護機器の動作ヘッド部分の断面構造模式図である。
【図７】本発明に係る介護機器の消臭ユニット部分の分解構造模式図である。
【図８】本発明に係る介護機器の動作ヘッド部分の構造模式図（２）である。
【図９】本発明に係る介護機器の本体部分の構造模式図（２）である。
【図１０】本発明に係る介護機器の全体断面構造模式図である。
【図１１】本発明に係る介護機器の一部を分解した斜視構造模式図である。
【図１２】本発明に係る介護機器の一部を分解した別の斜視構造模式図である。
【図１３】本発明に係る介護機器の部分断面拡大模式図である。
【図１４】本発明に係る介護機器の全体構造模式図である。
【図１５】本発明に係る介護機器の断面構造模式図である。
【発明を実施するための形態】
【００５１】
以下、図面を参照して本発明を更に説明する。
【００５２】
本発明に係る介護機器の動作ヘッドにおけるインナーボウルは、ボウル本体１０、あて板１４及び乾燥装置を備え、前記ボウル本体１０は、前部に楔状のボウル開口部２０が設けられ、ボウル開口部２０の頂面が水平に設置された排泄口２１となり、ボウル開口部２０の底面が傾斜して設置されたＵ字の円弧状底面であり、排泄物が傾斜したボウル開口部２０の円弧状底面を介して自由に落下し、噴水洗浄効率を向上させ節水を図れ、ボウル開口部２０のＵ字の円弧状底面の両側に、それぞれ反射型赤外線式の大便センサ２２が設けられ、両側の大便センサ２２が一部のボウル開口部２０の円弧状底面を覆い、検出漏れを避け、ボウル本体１０の底面外側に小便センサ１１が設けられ、大便センサ２２と合わせて区別検出を実現し、誤トリガ操作を避け、前記あて板１４がボウル本体１０に垂直に設けられるとともに排泄口２１に一体に接続され、乾燥装置がボウル本体１０の後側に設けられ、乾燥装置の吹き出し口３３があて板１４の下のボウル本体１０の後側壁に設けられる。
【００５３】
上記大便センサ２２に複数の感知用の検出ヘッド２３が設けられ、複数の感知用の検出ヘッド２３は、ボウル開口部２０の側縁に沿って前後に設置されるとともに、それぞれボウル開口部２０の異なる底面領域に対応し、複数の感知用の検出ヘッド２３が一部のボウル開口部２０の底面領域を覆い、排泄物のずれによる検出漏れを避け、上記小便センサ１１に２つの金属製の検出ヘッド１２が設けられ、２つの金属製の検出ヘッド１２がボウル本体１０の底面を貫通して露出し、２つの金属製の検出ヘッド１２の間におけるボウル本体１０の底面にボス１３が設けられ、ボス１３が２つの金属製の検出ヘッド１２の間における水膜の発生を防止し、水膜による小便センサ１１の信号遮蔽に起因する検出漏れを避ける。
【００５４】
上記ボウル開口部２０の両側に左右のノズル２４が設けられ、ノズル２４が排泄口２１の下に水平に設置され、ノズル２４に複数の開口が設置されてボウル開口部２０の側壁及び底面を洗浄して、クリーニング効率を向上させる。
【００５５】
上記乾燥装置は、乾燥装置ハウジング３０、ファン３２及びＰＴＣのヒータ３１を備え、乾燥装置ハウジング３０の前端における吹き出し口３３がボウル本体１０の後側壁に接続され、ＰＴＣヒータ３１が乾燥装置ハウジング３０の前部内に設けられ、ファン３２が乾燥装置ハウジング３０の末端内に設けられる。
【００５６】
上記インナーボウルを用いた介護機器は、本体１及び動作ヘッドを備え、前記動作ヘッドは、台座１１０及び動作ヘッドハウジング１２０を備え、動作ヘッドハウジング１２０が台座１１０に移動可能に設けられ、動作ヘッドハウジング１２０内にラッパ状のインナーボウル１３０が設けられ、動作ヘッドハウジング１２０の上端にインナーボウル１３０の大径端と接続されるジャケット１２１が設けられ、ジャケット１２１がＵ字状に開口されて設置され、患者の体に密着し、インナーボウル１３０が患者の体の下に配置されて排泄物を収納することに用いられ、前記動作ヘッドハウジング１２０内に乾燥装置が設けられ、乾燥装置の吹き出し口１３１がインナーボウル１３０に接続され、動作ヘッドは、患者の体を洗浄した後に、乾燥装置によって温風を吹き出し、患者の下半身に正対する吹き出し口１３１から温風を吹き出して水分を除去し、乾燥装置が動作ヘッドに設置され、短距離の送風により乾燥効率を向上させ、本体１に制御システムが設けられ、前記乾燥装置が制御システムに電気接続され、制御システムがプログラム設定に応じてそれぞれ乾燥装置におけるＰＴＣヒータ３１及びファン３２を調整することができ、乾燥効果を向上させるとともに、省エネを図ることができる。
【００５７】
上記乾燥装置は、渦巻き状の乾燥装置ハウジング３０、ＰＴＣヒータ３１及びファン３２を備え、乾燥装置ハウジング３０の前端が吹き出し口１３１に接続され、ＰＴＣヒータ３１が乾燥装置ハウジング３０内に設けられ、ファン３２が乾燥装置ハウジング３０の末端に設けられ、ファン３２で発生する冷風を乾燥装置ハウジング３０を介して吹き出し口１３１へ吹き出し、ＰＴＣヒータ３１を経過する際に対流によって熱交換し、加熱後の風を短距離で排出することにより熱エネルギーの損失を低減させ、乾燥効率を向上させ、ＰＴＣヒータ３１とファン３２がそれぞれ制御システムに電気接続され、制御システムがプログラミングによって高精度の省エネ制御を実現する。
【００５８】
上記動作ヘッドハウジング１２０と本体１との間にホース１４０が設けられ、ホース１４０内に制御システムに接続される制御回路１４１が設けられ、制御回路１４１がＰＴＣヒータ３１及びファン３２にそれぞれ接続され、制御回路１４１がＰＴＣヒータ３１及びファン３２と本体１における電源を隔てて設置し、且つ制御システムによって電源保護を実現し、使用の安全性を向上させる。
【００５９】
上記本体１に交流変換器１５３が設けられ、交流変換器１５３が制御システムとＰＴＣヒータ３１との間の制御回路１４１に接続されて設けられ、交流変換器１５３は、電源から給電される直流電力を変換することによって、ＰＴＣヒータ３１による加熱電力を向上させ、乾燥速度を高める。
【００６０】
上記本体１に汚物吸引装置１５１とクリーニング機構１５２が設けられ、汚物吸引装置１５１が配管によってインナーボウル１３０に接続され、患者の排泄物を吸引して汚物溝内に収集し、インナーボウル１３０にノズル２４が設けられ、クリーニング機構１５２が配管によってノズル２４に接続され、クリーニング機構１５２におけるポンプがノズル２４に洗浄水を供給してインナーボウル１３０の洗浄及び患者の体のクリーニングの作業を行う。
【００６１】
前記動作ヘッド２内にラッパ状のインナーボウル１３０が設けられ、インナーボウル１３０の大径端にジャケット１２１が接続されて設けられ、前記本体１に、配管によって接続される負圧源２２３及び汚物バレルが設けられ、負圧源２２３をオンして汚物バレル内で負圧を形成して換気し、配管によって接続されたインナーボウル１３０内の排泄物を汚物バレルに吸入し、前記インナーボウル１３０の小径端にシールバルブが設けられ、シールバルブは配管によって汚物バレルに接続され、シールバルブは、負圧源２２３がオンになる際に接続配管を開き、オフになる際に汚物バレルと動作ヘッド２との間の配管通路を遮断し、異臭の発散を避け、前記本体１の本体台座２２１に設けられた係止溝２２２は、消臭ユニット２０３を接続して取り付けることに用いられ、係止溝２２２内に消臭ユニット２０３が接続されて設けられ、消臭ユニット２０３が負圧源２２３の吹き出し口に接続され、負圧源２２３が汚物バレル内における異臭のある空気を吸引して消臭ユニット２０３を介してろ過し、更に負圧源２２３の作動によって異臭が室内に発散することを解消する。
【００６２】
上記シールバルブは、バルブシート２１３とバルブカバー２１４を備え、バルブカバー２１４がバルブシート２１３内に設けられ且つそのピンに接続され、バルブカバー２１４がバルブシート２１３にヒンジ連結されることにより、負圧源２２３が作動する際に、インナーボウル１３０における水及び排泄物を配管に注ぎ、シールバルブの通路を開くように、バルブカバー２１４が自動的にフリップし、バルブシート２１３の前端がバルブカバー２１４をインナーボウル１３０の小径端に当接させるようにインナーボウル１３０の小径端に套設され、本体１の待機状態でバルブカバー２１４が重力によってインナーボウル１３０のポートに覆われ、配管から動作ヘッド２への異臭発散を避け、バルブシート２１３の後端が配管によって汚物バレルに接続される。
【００６３】
上記消臭ユニット２０３は、消臭ユニットハウジング２３１及び複数のフィルタ２３２を備え、消臭ユニットハウジング２３１の裏側面に、負圧源２２３の吹き出し口と接続されるポート３６が設けられ、ポート３６に、負圧源２２３の吹き出し口との接続嵌合を強化するようにシールリングが設けられ、消臭ユニットハウジング２３１の底面に排気口が設けられ、消臭ユニットハウジング２３１内にポート３６と排気口を連通する仕切り通路２３３が設けられ、複数のフィルタ２３２が仕切り通路２３３内に順に配列されるように設置され、負圧源２２３によって吸引された異臭のある空気がポート３６から消臭ユニットハウジング２３１に入り、仕切り通路２３３内に設置されたフィルタ２３２によってろ過された後に排気口から排出し、室内への異臭発散を避け、仕切り通路２３３は消臭ユニットハウジング２３１内における空気の経路を増加して、フィルタ２３２のろ過効果を向上させる。
【００６４】
上記消臭ユニットハウジング２３１の外側面にロックシリンダー２３４が設けられ、ロックシリンダー２３４にバネとロックキャッチ２３５が套設されるとともに、バネの上端がロックシリンダー２３４上端の消臭ユニットハウジング２３１に当接され、前記本体台座２２１の係止溝２２２にロックキャッチ２３５と嵌合する止めノッチ２２４が設けられ  消臭ユニット２０３がマッチングする係止溝２２２に挿入されると、ロックキャッチ２３５がバネにより駆動されて下へ摺動して止めノッチ２２４に係止され、消臭ユニットハウジング２３１の裏側面のポートが負圧源２２３の吹き出し口にドッキングされて固定され、更に消臭ユニット２０３が本体台座１１に水平に固定され、取り外す際、上へロックキャッチ２３５を引き上げて消臭ユニット２０３を取り出す。
【００６５】
上記本体１のハウジングの側板において消臭ユニット２０３と対応する位置に取外し口が設けられ、取外し口にカバープレート２２５が覆われ、取り外すことに有利のため、取外し口が消臭ユニット２０３とマッチングする。
【００６６】
動作ヘッドハウジング１２０の前端が台座１１０に移動可能に設けられ、動作ヘッドハウジング１２０内にラッパ状のインナーボウル１３０が設けられ、動作ヘッドハウジング１２０の上端に、インナーボウル１３０の大径端と接続されるジャケット１２１が設けられ、ジャケット１２１がＵ字の開口状であり、ジャケット１２１の底部に開口が設けられてインナーボウル１３０の大径端に接続され、前記インナーボウル１３０の小径端にシールシート３３１が接続されて設けられ、シールシート３３１がねじ山によってインナーボウル３１に接続され且つポート内にシールリングが設けられ、前記動作ヘッドハウジング１２０内に分流弁３３２が設けられ、分流弁３３２がシールシート３３１に接続され、分流弁３３２に複数の出水孔が設けられ、インナーボウル１３０の大径端に複数のノズル２４が設けられ、複数のノズル２４が配管によって分流弁３３２における出水孔に接続され、清水が分流弁３３２から対応するノズル２４に供給され、分流弁３３２が本体１における制御システムによって制御されて対応するノズル２４に給水し、更に患者をクリーニングまたは動作ヘッドのインナーボウル１３０を洗浄し、前記本体１と動作ヘッドハウジング１２０の末端との間にホース１４０が接続されて設けられ、ホース１４０内に汚物管３４１、清水管３４２及び制御回路１４１が設けられ、汚物管３４１の両端がそれぞれシールシート３３１及び本体１における汚物吸引機構に接続され、清水管３４２の両端がそれぞれ分流弁３３２と本体１における給水装置に接続され、１本の清水管３４２を主な給水配管とすることによって、使用された配管の全長さを短縮させ水漏れリスクを避けることができ、分流弁３３２が制御回路１４１によって本体１における制御システムに接続される。
【００６７】
上記分流弁３３２に複数の出水孔が設けられるとともに、複数の出水孔が１つずつ並列配管によって対応するノズル２４接続され、本体１が分流弁３３２によって対応するノズル２４を制御して洗浄作業を行う。
【００６８】
上記給水装置は、水タンク３５１、ポンプ３５２及びＰＴＣヒータ３５３を備え、ＰＴＣヒータ３５３が水タンク３５１に接続され、清水管３４２がポンプ３５２に接続されるとともに、ポンプ３５２と水タンク３５１とが配管によって接続され、ポンプ３５２が水タンク３５１内における加熱された水を汲み、清水管３４２を介して分流弁３３２に給水し、まず洗浄ノズル２４を開いて清水管３４２内に残存した冷水を使用し、完了後、清水管３４２内におけるすべての水が温水になると、洗浄ノズル２４を開いて患者をクリーニングし、介護機器の使用快適さを向上させる。
【００６９】
上記複数のノズル２４は、インナーボウル１３０の大径端の両側に対称的に設けられ、ノズル２４に洗浄ノズルとクリーニングノズルが設けられる。
【００７０】
上記汚物管３４１とシールシート３３１の継手部にクランプ３４４が設けられ、シールシート３３１が銅材を用いかつクランプ３４４によって接続強度を高め、衝突や引張りによって外れて汚水の汚染を引き起こすことを避ける。
【００７１】
動作ヘッド２に大小便収納容器、噴水機構及び制御プロセッサが設けられ、前記動作ヘッド２の末端にベース４１０が設けられ、ベース４１０の両側にフック状のハンガー４１１が設けられ、ベース４１０の後端面に汚水ポート４１２、電気回路ポート４１３及び清水ポート４１４が設けられ、汚水ポート４１２が動作ヘッド２における大小便収納容器の排泄口に接続され、電気回路ポート４１３が制御プロセッサに接続され、清水ポート４１４が噴水機構に接続され、前記ホース１４０の前端にプラグ４２０が接続されて設けられ、プラグ４２０の前端面がベース４１０の後端面にマッチングし、プラグ４２０の両側に掛け金４２１が設けられ、掛け金４２１は、掛け金板と掛け金リングを備え、掛け金板の一端がプラグ４２０にヒンジ連結され、掛け金リングの後端が掛け金板に可動に接続され、更に掛け金リングの前端がハンガー４１１に套設されると、掛け金板が後へ反転することによりプラグ４２０とベース４１０を緊密に接続し、プラグ４２０の前端面に汚水継手４２２、電気回路継手４２３及び清水継手４２４が設けられ、汚水継手４２２はホース１４０内の汚水管に接続され、電気回路継手４２３はホース１４０内の電気配線に接続され、清水継手４２４はホース１４０内の清水管に接続され、ベース４１とプラグ４２０との取り外し可能な接続構造によって、動作ヘッド２が待機時にホース１４０から取り外して保存でき、ホース１４０が介護機器の本体に巻設することができる。
【００７２】
上記ベース４１０の後端面に複数の位置決め孔４１５が設けられ、複数の位置決め孔４１５がベース４１０の中心線の両側に沿って対称的に分布し、プラグ４２０の前端面に複数の位置決め柱４２５が設けられるとともに、複数の位置決め柱４２５が複数の位置決め孔４１５とペアになるように設置され、プラグ４２０がベース４１０に接続される際に位置決め柱４２５と位置決め孔４１５によって位置合わせされ、組立精度と接続速度を高め、且つ位置決め柱４２５が位置決め孔４１５に挿入される嵌合関係によってベース４１０とプラグ４２０との接続強度を向上させることができる。
【００７３】
上記位置決め柱４２５は、前部が小さく後部が大きい錐台構造として設置され、位置決め孔４１５のポート縁に面取り部が設けられ、錐台構造の位置決め柱４２５が組み立て際にマッチング調整作用を有し、これにより位置決め柱４２５を容易に位置決め孔４１５に挿入でき、組み立て精度及び速度を高める。
【００７４】
上記汚水ポート４１２の外縁に第１環状溝４１７が設けられ、第１環状溝４１７にＯリングが套設され、汚水継手４２２の内径が汚水ポート４１２の外径にマッチングし、Ｏリングの外縁直径が汚水ポート４１２の外縁直径より大きく、汚水継手４２２が汚水ポート４１２に套設される際にＯリングが変形して汚水継手４２２の内壁に密着し、これにより、汚水継手４２２と汚水ポート４１２との接続のシール性を向上させる。
【００７５】
上記ベース４１０の後端面に嵌合孔４１８が設けられ、汚水ポート４１２が嵌合孔４１８内に套設され、嵌合孔４１８の内径が汚水継手４２２の外径にマッチングして、汚水継手４２２が汚水ポート４１２と嵌合孔４１８との間に挿入され、これにより汚水継手４２２と汚水ポート４１２との組み立て精度及び接続強度を向上させる。
【００７６】
上記清水継手４２４の外縁に第２環状溝４２７が設けられ、第２環状溝４２７にＯリングが套設され、清水継手４２４の外径が清水ポート４１４の内径にマッチングし、清水継手４２４がＯリングによって清水継手４２４との接続シール性を向上させる。
【００７７】
上記電気回路ポート４１３の内壁にガイドバー４１６が設けられ、電気回路継手４２３の外壁にガイドバー４１６と嵌合するガイド溝４２６が設けられ、電気回路継手４２３と電気回路ポート４１３を組み立てる際に、ガイド溝４２６とガイドバー４１６とのガイド作用によって組み立て精度を向上させる。
【００７８】
本体は、本体ハウジング５１０を備え、前記本体ハウジング５１０のパネルに接続ベース５２０が設けられ、接続ベース５２０は、内部にパネルの両側を連通する貫通孔が設けられ、接続ベース５２０の前端の外縁にねじ山が設けられ、接続ベース５２０内の貫通孔の両側にあて板５２１が設けられ、２つのあて板５２１が間隔をあけて対称的に設置され、接続ベース５２０にナットスリーブ５３０、ホーススリーブ５６０、第１管継手５５０、第２管継手５４０が接続されて設けられ、前記第２管継手５４０に第２套管５４１と第２配管５４２が設けられ、第２套管５４１と第２配管５４２の前端があて板５２１を貫通するとともに、第２管継手５４０があて板５２１の後側に当接され、第２管継手５４０がパネルの後側に設置されて接続ベース５２０に固定されて接続され、第２配管５４２の後端が配管によって本体内の給水システムに接続され、前記第１管継手５５０に止めリング５５３、第１套管５５１及び第１配管５５２が設けられ、第１套管５５１と第１配管５５２の前端が止めリング５５３内に設けられ、第１套管５５１の後端が第２套管５４１の前端内に穿設され、第１配管５５２の後端が第２配管５４２の前端内に穿設され、止めリング５５３が絶縁ホースを接続して固定することに用いられ、第１套管５５１内に汚水管が穿設され、第１配管５５２の後端にガスケットが設けられ、更に第２配管５４２と嵌合して接続され、通路を形成し、前記ホーススリーブ５６０の後端が止めリング５５３に套設され、ホーススリーブ５６０内に絶縁ホースを穿設した後に套設して止めリング５５３に被覆して固定され、ナットスリーブ５３０がホーススリーブ５６０に套設されて且つナットスリーブ５３０の後端が接続ベース５２０の前端に螺合される。
【００７９】
上記止めリング５５３の前端外縁にガイド歯５５４が設けられ、ホーススリーブ５６０の内壁に止め歯５６１が設けられ、絶縁ホースがねじ切り管であり、これによりガイド歯５５４及び止め歯５６１に螺合され、ホースが本体からの自動外れを避ける。
【００８０】
上記第１管継手５５０に線通し溝５５５が設けられ、第２管継手５４０において線通し溝５５５と対応する位置に線通し孔５４３が設けられ、制御回路が絶縁ホース内に設置されてもよく、制御回路はホーススリーブ５６０、線通し溝５５５、線通し孔５４３を貫通して本体における制御システムに接続される。
【００８１】
上記接続ベース５２０の裏側において第２管継手５４０と対応する位置に複数の固定孔５４３が設けられ、接続ベース５２０の後側にリミット溝が設置され、第２管継手５４０がリミット溝に係止された後にネジによって固定孔５４３を貫通して接続ベース５２０に固定して接続される。
【００８２】
上記第１配管５５２と第２配管５４２の裏端外縁に波形歯が設けられ、水受け管が波形歯に套設され、締めしろが大きく波形歯が尖ったものであることによって、第１配管５５２、第２配管５４２と管路との接続シール性を向上させ、水漏れ現象を避ける。
【００８３】
以上、本発明の好ましい実施形態を説明したが、本発明の特許請求の範囲に記載の構造、特徴及び原理を逸脱せずに行った同等変更や修正は、いずれも本発明の特許請求の範囲に属する。
【符号の説明】
【００８４】
１        本体  
２        動作ヘッド  
１０      ボウル本体  
１１      小便センサ  
１２      金属製の検出ヘッド  
１３      ボス
１４      あて板  
２０      ボウル開口部  
２１      排泄口  
２２      大便センサ
２３      感知用の検出ヘッド  
２４      ノズル  
３０      乾燥装置ハウジング  
３１      ＰＴＣヒータ  
３２      ファン  
３３      吹き出し口
１１０    台座  
１２０    動作ヘッドハウジング  
１２１    ジャケット  
１３０    インナーボウル
１３１    吹き出し口  
１４０    ホース  
１４１    制御回路
１５１    汚物吸引装置  
１５２    クリーニング機構  
１５３    交流変換器
２０３    消臭ユニット  
２１３    バルブシート  
２１４    バルブカバー  
２２１    本体台座  
２２２    係止溝
２２３    負圧源  
２２４    止めノッチ  
２２５    カバープレート  
２３１    消臭ユニットハウジング
２３２    フィルタ  
２３３    仕切り通路  
２３４    ロックシリンダー  
２３５    ロックキャッチ  
２３６    ポート
３３１    シールシート  
３３２    分流弁  
３４１    汚物管  
３４２    清水管  
３４４    クランプ
３５１    水タンク  
３５２    ポンプ  
３５３    ヒータ
４１０    ベース  
４１１    ハンガー  
４１２    汚水ポート  
４１３    電気回路ポート  
４１４    清水ポート  
４１５    位置決め孔
４１６    ガイドバー  
４１７    第１環状溝  
４１８    嵌合孔  
４２０    プラグ
４２１    掛け金  
４２２    汚水継手  
４２３    電気回路継手  
４２４    清水継手
４２５    位置決め柱  
４２６    ガイド溝  
４２７    第２環状溝
５１０    本体ハウジング  
５２０    接続ベース  
５２１    あて板  
５３０    ナットスリーブ  
５４０    第２管継手  
５４１    第２套管  
５４２    第２配管  
５４３    線通し孔  
５５０    第１管継手  
５５１    第１套管  
５５２    第１配管  
５５３    止めリング
５５４    ガイド歯  
５５５    線通し溝  
５６０    ホーススリーブ  
５６１    止め歯
【図１】
2017509445.tif 000003
【図２】
2017509445.tif 000004
【図３】
2017509445.tif 000005
【図４】
2017509445.tif 000006
【図５】
2017509445.tif 000007
【図６】
2017509445.tif 000008
【図７】
2017509445.tif 000009
【図８】
2017509445.tif 000010
【図９】
2017509445.tif 000011
【図１０】
2017509445.tif 000012
【図１１】
2017509445.tif 000013
【図１２】
2017509445.tif 000014
【図１３】
2017509445.tif 000015
【図１４】
2017509445.tif 000016
【図１５】
2017509445.tif 000017
【手続補正書】
【提出日】平成28年11月30日(2016.11.30)
【手続補正１】
【補正対象書類名】特許請求の範囲
【補正対象項目名】全文
【補正方法】変更
【補正の内容】
【特許請求の範囲】
【請求項１】
ボウル本体、あて板及び乾燥装置を備える介護機器の動作ヘッドにおけるインナーボウルであって、前記ボウル本体は、前部にボウル開口部が設けられ、ボウル開口部の頂面が水平に設置された排泄口となり、ボウル開口部の底面が傾斜して設置されたＵ字の円弧状底面であり、ボウル開口部のＵ字の円弧状底面の両側に、それぞれ大便センサが設けられ、ボウル本体の底面外側に小便センサが設けられ、前記あて板がボウル本体に垂直に設けられるとともに排泄口に一体に接続され、乾燥装置がボウル本体の後側に設けられ、乾燥装置の吹き出し口があて板の下のボウル本体の後側壁に設けられることを特徴する介護機器の動作ヘッドにおけるインナーボウル。
【請求項２】
前記大便センサに複数の感知用の検出ヘッドが設けられ、複数の感知用の検出ヘッドは、ボウル開口部の側縁に沿って前後に設置されるとともに、それぞれボウル開口部の異なる底面領域に対応することを特徴する請求項１に記載の介護機器の動作ヘッドにおけるインナーボウル。
【請求項３】
前記小便センサに２つの金属製の検出ヘッドが設けられ、且つ２つの金属製の検出ヘッドがボウル本体の底面を貫通して露出し、２つの金属製の検出ヘッドの間のボウル本体の底面にボスが設けられることを特徴する請求項１に記載の介護機器の動作ヘッドにおけるインナーボウル。
【請求項４】
前記乾燥装置は、乾燥装置ハウジング、ファン及びＰＴＣヒータを備え、乾燥装置ハウジングにおける前端吹き出し口がボウル本体の後側壁に接続され、ＰＴＣヒータが乾燥装置ハウジングの前部内に設けられ、ファンが乾燥装置ハウジングの末端内に設けられることを特徴する請求項１に記載の介護機器の動作ヘッドにおけるインナーボウル。
【請求項５】
本体及び動作ヘッドを備える介護機器であって、前記動作ヘッドには請求項１〜４のいずれかに記載のインナーボウルが用いられることを特徴する介護機器。
【請求項６】
前記動作ヘッドは、動作ヘッドハウジングを備え、動作ヘッドハウジング内にラッパ状のインナーボウルが設けられ、動作ヘッドハウジングの上端に、インナーボウルの大径端と接続されるジャケットが設けられ、前記動作ヘッドハウジング内に乾燥装置が設けられ、乾燥装置吹き出し口がインナーボウルに接続され、本体に制御システムが設けられ、前記乾燥装置が制御システムに電気接続されることを特徴する請求項５に記載の介護機器。
【請求項７】
前記乾燥装置ハウジングの前端が吹き出し口に接続され、ＰＴＣヒータとファンとはそれぞれ制御システムに電気接続されることを特徴する請求項６に記載の介護機器。
【請求項８】
前記動作ヘッドハウジングと本体との間にホースが設けられ、ホース内に制御システムと接続される制御回路が設けられ、制御回路がＰＴＣヒータとファンにそれぞれ接続されることを特徴する請求項７に記載の介護機器。
【請求項９】
前記本体に交流変換器が設けられ、交流変換器が制御システムとＰＴＣヒータとの間に設けられる制御回路に接続されることを特徴する請求項８に記載の介護機器。
【請求項１０】
前記本体に汚物吸引装置とクリーニング機構が設けられ、汚物吸引装置が配管によってインナーボウルに接続され、インナーボウルにノズルが設けられ、クリーニング機構が配管によってノズルに接続されることを特徴する請求項６に記載の介護機器。
【請求項１１】
前記動作ヘッド内にラッパ状のインナーボウルが設けられ、インナーボウルの大径端にジャケットが接続されて設けられ、前記本体に、配管によって接続される負圧源と汚物バレルが設けられ、前記インナーボウルの小径端にシールバルブが設けられ、シールバルブが配管によって汚物バレルに接続され、前記本体の本体台座に係止溝が設けられ、係止溝内に消臭ユニットが接続されて設けられ、消臭ユニットが負圧源の吹き出し口に接続されることを特徴する請求項５に記載の介護機器。
【請求項１２】
前記シールバルブは、バルブシートとバルブカバーを備え、バルブカバーがバルブシート内に設けられ且つそのピンに接続され、バルブシートの前端がバルブカバーをインナーボウルの小径端に当接させようにインナーボウルの小径端に套設され、バルブシートの後端が配管によって汚物バレルに接続されることを特徴する請求項１１に記載の介護機器。
【請求項１３】
前記消臭ユニットは、消臭ユニットハウジング及び複数のフィルタを備え、消臭ユニットハウジングの裏側面に、負圧源の吹き出し口と接続されるポートが設けられ、消臭ユニットハウジングの底面に排気口が設けられ、消臭ユニットハウジング内にポートと排気口を連通する仕切り通路が設けられ、複数のフィルタが仕切り通路内に順に配列されるように設置されることを特徴する請求項１１に記載の介護機器。
【請求項１４】
前記消臭ユニットハウジングの外側面にロックシリンダーが設けられ、ロックシリンダーにバネとロックキャッチが套設されるとともに、バネの上端がロックシリンダーの上端の消臭ユニットハウジングに当接され、前記本体台座の係止溝にロックキャッチと嵌合する止めノッチが設けられることを特徴する請求項１３に記載の介護機器。
【請求項１５】
前記本体のハウジングの側板において消臭ユニットと対応する位置に取外し口が設けられ、取外し口にカバープレートが覆われることを特徴する請求項１３に記載の介護機器。
【請求項１６】
前記動作ヘッドは、動作ヘッドハウジングを備え、動作ヘッドハウジング内にラッパ状のインナーボウルが設けられ、動作ヘッドハウジングの上端に、インナーボウルの大径端と接続されるジャケットが設けられ、前記動作ヘッドハウジング内に分流弁が設けられ、インナーボウルの大径端に複数のノズルが設けられ、複数のノズルが配管によって分流弁に接続され、前記本体と動作ヘッドハウジングの末端との間にホースが接続されて設けられ、ホース内に汚物管、清水管及び制御回路が設けられ、汚物管の両端がそれぞれインナーボウルの小径端と本体における汚物吸引機構に接続され、清水管の両端がそれぞれ分流弁と本体における給水装置に接続され、分流弁が制御回路によって本体における制御システムに接続されることを特徴する請求項５に記載の介護機器。
【請求項１７】
前記分流弁に複数の出水孔が設けられるとともに、複数の出水孔が１つずつ並列配管によって対応するノズルに接続されることを特徴する請求項１６に記載の介護機器。
【請求項１８】
前記給水装置は、水タンク、ポンプ及びＰＴＣヒータを備え、ＰＴＣヒータが水タンクに接続され、清水管がポンプに接続されるとともに、ポンプが配管によって水タンクに接続されることを特徴する請求項１６に記載の介護機器。
【請求項１９】
動作ヘッド及びホースを備え、前記動作ヘッドの末端にベースが設けられ、ベースの両側にフック状のハンガーが設けられ、ベースの後端面に汚水ポート、電気回路ポート及び清水ポートが設けられ、前記ホースの前端にプラグが接続されて設けられ、プラグの両側に掛け金が設けられ、プラグの前端面に汚水継手、電気回路継手及び清水継手が設けられることを特徴する請求項５に記載の介護機器。
【請求項２０】
本体ハウジングを備え、前記本体ハウジングのパネルに接続ベースが設けられ、接続ベースの前端の外縁にねじ山が設けられ、接続ベースの内孔の両側にあて板が設けられ、接続ベースにナットスリーブ、ホーススリーブ、第１管継手、第２管継手が接続されて設けられ、前記第２管継手に第２套管と第２配管が設けられ、第２套管と第２配管の前端があて板を貫通するとともに、第２管継手があて板の後側に当接され、前記第１管継手に止めリング、第１套管及び第１配管が設けられ、第１套管と第１配管の前端が止めリング内に設けられ、第１套管の後端が第２套管の前端内に穿設され、第１配管の後端が第２配管の前端内に穿設され、前記ホーススリーブの後端が止めリングに套設され、ナットスリーブがホーススリーブに套設されるとともに、ナットスリーブの後端が接続ベースの前端に螺合されることを特徴する請求項５に記載の介護機器。
【手続補正２】
【補正対象書類名】明細書
【補正対象項目名】００６４
【補正方法】変更
【補正の内容】
【００６４】
上記消臭ユニットハウジング２３１の外側面にロックシリンダー２３４が設けられ、ロックシリンダー２３４にバネとロックキャッチ２３５が套設されるとともに、バネの上端がロックシリンダー２３４上端の消臭ユニットハウジング２３１に当接され、前記本体台座２２１の係止溝２２２にロックキャッチ２３５と嵌合する止めノッチ２２４が設けられている。
消臭ユニット２０３がマッチングする係止溝２２２に挿入されると、ロックキャッチ２３５がバネにより駆動されて下へ摺動して止めノッチ２２４に係止され、消臭ユニットハウジング２３１の裏側面のポートが負圧源２２３の吹き出し口にドッキングされて固定され、更に消臭ユニット２０３が本体台座１１に水平に固定され、取り外す際、上へロックキャッチ２３５を引き上げて消臭ユニット２０３を取り出す。
【国際調査報告】
2017509445.tif 000018
2017509445.tif 000019
2017509445.tif 000020
2017509445.tif 000021
2017509445.tif 000022
2017509445.tif 000023
2017509445.tif 000024
2017509445.tif 000025